(57)【要約】【課題】  取付強度を維持しつつ、効率的にロータリシャッターにシャッターノブを取り付ける。  【解決手段】  ロータリシャッター７におけるシャッターノブ７ｂの取付位置に貫通孔７Ｔを形成し、中央に凹部７ｃが形成されたシャッターノブ７ｂの端部７ｈを貫通孔７Ｔに通した状態においてシャッターノブ７ｂの端部７ｈをカシメることにより、シャッターノブ７ｂをロータリシャッター７に取り付ける。【選択図】  図４
2005004946.tif 000002
【特許請求の範囲】
【請求項１】
扁平なハウジング内にディスク状の情報記録媒体を回転自在に収容してなるディスクカートリッジであって、前記ハウジングが、ディスクドライブの記録再生ヘッドを前記情報記録媒体の表面にアクセスさせるための開口部と、該開口部を開閉するロータリシャッターとを有し、該ロータリシャッターが、前記ディスクドライブへの装填時に前記ロータリシャッターを開けるために該ディスクドライブに係止されるシャッターノブを備えたディスクカートリッジにおいて、
前記ロータリシャッターにおける前記シャッターノブの取付位置に貫通孔が形成されており、
前記シャッターノブが、中央に凹部が形成された該シャッターノブの端部を前記貫通孔に通した状態において前記シャッターノブの端部をカシメることにより、前記ロータリシャッターに取り付けられていることを特徴とするディスクカートリッジ。
【請求項２】
前記貫通孔の外縁に前記シャッターノブのカシメ部分を収容するための段部が形成されていることを特徴とする請求項１に記載のディスクカートリッジ。
【請求項３】
扁平なハウジング内にディスク状の情報記録媒体を回転自在に収容してなるディスクカートリッジであって、前記ハウジングが、ディスクドライブが備えている記録再生ヘッドを前記情報記録媒体の表面にアクセスさせるための開口部と、該開口部を開閉するロータリシャッターとを有し、該ロータリシャッターが、前記ディスクドライブへの装填時に前記ロータリシャッターを開けるために該ディスクドライブに係止されるシャッターノブを備えたディスクカートリッジにおける前記シャッターノブの取付方法において、
前記ロータリシャッターにおける前記シャッターノブの取付位置に貫通穴を形成し、
中央に凹部が形成された前記シャッターノブの端部を前記貫通孔に通した状態において前記シャッターノブの端部をカシメる
ことを特徴とするディスクカートリッジにおけるシャッターノブの取付方法。
【請求項４】
貫通孔の外縁に前記シャッターノブのカシメ部分を収容するための段部を形成した後、前記シャッターノブの端部をカシメることを特徴とする請求項４に記載のシャッターノブの取付方法。
【発明の詳細な説明】
【技術分野】
【０００１】
本発明は、ディスク状の情報記録媒体を回転可能に収容するディスクカートリッジに関し、特に、ハウジングに形成された記録再生ヘッドアクセス用の開口部を開閉するためのロータリシャッターに取り付けられたシャッターノブの取付構造に関するものである。
【背景技術】
【０００２】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１参照。）。このディスクカートリッジは、たとえば幅５０ｍｍ、奥行き５５ｍｍ、厚さ１．９５ｍｍの扁平な金属薄板からなる上下シェルを備えたハウジング内に、４０ＭＢの記憶容量を有する直径約４６．５ｍｍの磁気ディスクからなる情報記録媒体５を回転自在に収容したものである。ハウジングにはディスクドライブの記録再生ヘッドが情報記録媒体にアクセスするための開口部が設けられており、開口部には開閉可能なロータリシャッターが設けられている。
【０００３】
このロータリシャッターは、バネにより開口部を閉じる方向に付勢されており、ディスクカートリッジがディスクドライブに挿入されたときに、ディスクドライブから力を受けて開口部を開けるようになっている。具体的には、ロータリシャッターにはディスクドライブへの装填時にディスクドライブに係止されるシャッターノブが取り付けられている。そして、シャッターノブが係止されている状態においてディスクカートリッジがディスクドライブの中に押し込まれると、ロータリシャッターがハウジングに対して相対的に回転し開口部が開くようになっている。
【０００４】
このシャッターノブは、ロータリシャッターに対してカシメ加工により取り付けられている。具体的には、端部が略円柱状に形成されたシャッターノブをロータリシャッターに形成された貫通孔に通した後、シャッターノブの端部にカシメ加工を施すことにより、シャッターノブがロータリシャッターに取り付けられる。
【特許文献１】米国特許第５９９５３４６号明細書
【発明の開示】
【発明が解決しようとする課題】
【０００５】
ところで、シャッターノブはディスクカートリッジがディスクドライブに挿入されるたびに、ディスクドライブ側から力が加えられる部位であるため、ロータリシャッターとシャッターノブとの取付強度は大きいことが望ましい。したがって、シャッターノブは力が加わっても変形しにくい比較的硬い材料（たとえばアルミ合金等）からなっている。しかし、シャッターノブに硬い材料を用いると、シャッターノブが下シャッタ部材に対してカシメ加工により固定される際、硬い材料からなる略円柱状のシャッターノブを押しつぶす必要が生じ、カシメ加工に手間がかかるという問題がある。
【０００６】
一方、カシメ加工を容易にするためにシャッターノブをアルミニウム等の柔らかい材料から形成すると、シャッターノブとロータリシャッターとの取付強度が弱くなってしまう。このため、シャッターノブがロータリシャッターに対して傾き、ロータリシャッターが正常な開閉動作を行うことができなくなる恐れがある。
【０００７】
そこで、本発明は、取付強度を維持しつつ、効率的にロータリシャッターにシャッターノブを取り付けることができるディスクカートリッジを提供することを目的とするものである。
【課題を解決するための手段】
【０００８】
本発明のディスクカートリッジは、扁平なハウジング内にディスク状の情報記録媒体を回転自在に収容してなるディスクカートリッジであって、ハウジングが、ディスクドライブが備えている記録再生ヘッドを情報記録媒体の表面にアクセスさせるための開口部と、開口部を開閉するロータリシャッターとを有し、ロータリシャッターが、ディスクドライブへの装填時にロータリシャッターを開けるためにディスクドライブに係止されるシャッターノブを備えたディスクカートリッジにおいて、ロータリシャッターにおけるシャッターノブの取付位置に貫通孔が形成されており、シャッターノブが、中央に凹部が形成されたシャッターノブの端部を貫通孔に通した状態においてシャッターノブの端部をカシメることにより、ロータリシャッターに取り付けられていることを特徴とするものである。
【０００９】
本発明のディスクカートリッジにおけるシャッターノブの取付方法は、扁平なハウジング内にディスク状の情報記録媒体を回転自在に収容してなるディスクカートリッジであって、ハウジングが、ディスクドライブが備えている記録再生ヘッドを情報記録媒体の表面にアクセスさせるための開口部と、開口部を開閉するロータリシャッターとを有し、ロータリシャッターが、ディスクドライブへの装填時にロータリシャッターを開けるためにディスクドライブに係止されるシャッターノブを備えたディスクカートリッジにおけるシャッターノブの取付方法において、ロータリシャッターにおけるシャッターノブの取付位置に貫通穴を形成し、中央に凹部が形成されたシャッターノブの端部を貫通孔に通した状態においてシャッターノブの端部をカシメることを特徴とするものである。
【００１０】
ここで、「凹部」はシャッターノブの中央に形成されていればその形状を問わず、たとえば略円錐状に形成されているものであってもよいし、略円柱状の凹部や略Ｖ字溝等であってもよい。
【００１１】
なお、貫通孔の外縁にシャッターノブのカシメ部分を収容するための段部が形成されるようにしてもよい。このとき、段部は、シャッターノブの端部をカシメる前に形成されていればよく、貫通孔を形成した後に形成されるようにしてもよいし、貫通孔を形成する前に予め貫通孔の外縁となる部位に段部７を形成しておき、その後貫通孔７Ｔを設けるようにしてもよい。
【発明の効果】
【００１２】
本発明のディスクカートリッジおよびシャッターノブの取付方法によれば、中央に凹部が形成されたシャッターノブの端部を貫通孔に通した状態においてシャッターノブの端部をカシメてシャッターノブをロータリシャッターに取り付けることにより、取付強度の観点からシャッターノブに硬い材料を用いたときであっても、容易にロータリシャッターにシャッターノブを取り付けるができる。
【００１３】
なお、貫通孔の外縁にシャッターノブのカシメ部分を収容するための段部が形成された構成にすれば、シャッターノブのカシメ部分がロータリシャッター内に突出するのを防止することができる。
【発明を実施するための最良の形態】
【００１４】
以下、本発明のディスクカートリッジの実施の形態について、図面を参照して詳細に説明する。図１と図２は本発明の情報記録媒体が用いられるディスクカートリッジの一例を示す図である。なお、図１（ａ）、（ｂ）、（ｃ）にそのロータリシャッター７が閉状態にある平面図、側面図および底面図を、図２（ａ）、（ｂ）にロータリシャッター７が開状態にある平面図および底面図をそれぞれ示している。
【００１５】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約４６．５ｍｍのディスク状の情報記録媒体５を回転自在に収容したものである。
【００１６】
また、ハウジングは、ディスクドライブの磁気ヘッドを情報記録媒体５の表面にアクセスさせるためのＶ字状の開口部６と、この開口部６を開閉するためのロータリシャッター７とを備えている。そして、ディスクドライブがディスク５に対して情報の記録再生を行うときには、ロータリシャッター７が開き、開口部６から磁気ヘッドが挿入されるようになっている。一方、ディスクドライブから取り出されたときに開口部６から埃等が入り込まないようにするため、ロータリシャッター７が閉じて開口部６を塞ぐようになっている。
【００１７】
図３はディスクカートリッジ１におけるシャッターノブの周辺部位の断面図を示している。図３において、下シャッタ部材７Ｄのシャッターノブ７ｂの取付位置には貫通孔７Ｔが形成されており、この貫通孔７Ｔにシャッターノブ７ｂがカシメ加工により取り付けられている。
【００１８】
図４は下シャッタ部材７Ｄに取り付けられるシャッターノブ７ｂの形状を示す模式図を示している。なお、図４（ａ）はシャッターノブ７ｂの側面図を示し、図４（ｂ）はシャッターノブ７ｂの上面図を示している。図４において、シャッターノブ７ｂはたとえばアルミ合金（たとえばＡ２０１１、Ａ２０１７、Ａ２０２４）からなっており、ディスクドライブに係止されるロータリシャッター７の外面から突出した突出部７ｆを形成している。またシャッターノブ７ｂの端部７ｈは、貫通孔７Ｔに挿入するために突出部７ｆによりも細い円柱になるように形成されており、シャッターノブ７ｂの端部７ｈにおける中央には略円錐状の凹部７ｃが形成されている。たとえば、凹部７ｃは、好ましくは角度θは１２０°以下、口径Ｗ＝０．８ｍｍ以下であって、深さＤｐが下シャッタ部材７Ｄの厚さを考慮したものになっている。
【００１９】
そして、図５に示すように、シャッターノブ７ｂの端部７ｈを貫通孔７Ｔに通した後、シャッターノブ７ｂの端部７ｈをカシメることにより、シャッターノブ７ｂが下シャッタ部材７Ｄに取り付けられる（図３参照）。これにより、シャッターノブ７ｂの取付強度の観点からシャッターノブ７ｂにアルミ合金のような硬い材料を用いたときであっても、カシメ加工により容易にロータリシャッター７にシャッターノブ７ｂを取り付けることができる。
【００２０】
すなわち、シャッターノブ７ｂの耐久性の観点から考慮したとき、シャッターノブ７ｂはディスクカートリッジ１がディスクドライブに装填されるたびに、ディスクドライブから力が加えられる部位であるため、比較的硬い材料を用いることが望ましい。しかし、シャッターノブ７ｂに硬い材料を用いてしまうと、シャッターノブ７ｂをカシメ加工する際に、大きい圧力をシャッターノブ７ｂおよびロータリシャッター７に加える必要があり、カシメ加工に手間が掛かってしまう。そこで、上述のようにシャッターノブ７ｂの端部７ｈに凹部７ｃを設けることにより、カシメ加工する際にシャッターノブ７ｂに加える圧力を低減させることができるようになり、容易に効率よくロータリシャッター７にシャッターノブ７ｂを設けることができる。
【００２１】
特に、凹部７ｃの形状を略円錐状にすることにより、カシメ加工された際、凹部７ｃの縁部がシャッターノブ７ｂの中央から外方に向かって広がりやすく、カシメ加工後のカシメ部が略円形状に形成されるため、従来のように端部が円柱状に形成されている場合と同等の取付強度を確保することができる。
【００２２】
図７は本発明のディスクカートリッジの別の実施の形態を示す断面図であり、図７を参照してディスクカートリッジについて説明する。なお、図７のディスクカートリッジにおいて、図３のディスクカートリッジと同一の構成を有する部位には同一の符号を付してその説明を省略する。
【００２３】
図７（ａ）のディスクカートリッジにおいては、ロータリシャッター７における貫通孔７Ｔの縁部にシャッターノブ７ｂのカシメ部分を収容するための段部７Ｄｘが形成されている。この段部７Ｄｘは、下シャッタ部材７Ｄの厚さが０．２ｍｍのものに対し、０．０５ｍｍ〜０．１ｍｍの円形の凹部を設けることにより形成されている。これにより、シャッターノブ７ｂの端部をカシメたときに、カシメ部分が段部７Ｄｘ内に収容されて、カシメ部分が下シャッタ部材７Ｄ内に向かって突出するのを防止することができる。
【００２４】
なお、段部７Ｄｘは、シャッターノブ７ｂの端部７ｈをカシメる前に形成されていればよく、貫通孔７Ｔを形成した後に形成されるようにしてもよいし、貫通孔７Ｔを形成する前に予め貫通孔７Ｔの外縁となる部位に段部７Ｄｘを形成しておき、その後貫通孔７Ｔを設けるようにしてもよい。
【００２５】
さらに、図７（ｂ）のように、ロータリシャッター７におけるシャッターノブ７ｂの取付位置がバーリング加工されており、この筒状のバーリング部分に貫通孔７Ｔが形成されていてもよい。この場合であっても、貫通孔７Ｔの縁部にシャッターノブ７ｂのカシメ部分を収容するための段部７Ｄｘを設けることにより、シャッターノブ７ｂの端部をカシメたときに、シャッターノブ７ｂのカシメ部分が下シャッタ部材７Ｄ内に向かって突出するのを防止することができる。
【００２６】
上記各実施の形態によれば、中央に凹部７ｃが形成されたシャッターノブ７ｂの端部７ｈを貫通孔７Ｔに通した状態においてシャッターノブ７ｂの端部７ｈをカシメてシャッターノブ７ｂをロータリシャッター７に取り付けることにより、取付強度の観点からシャッターノブに硬い材料を用いたときであっても、容易にロータリシャッター７にシャッターノブ７ｂを取り付けるができる。
【００２７】
本発明の実施の形態は、上記実施の形態に限定されない。たとえば、図４において凹部７ｃが略円錐状の場合について例示しているが、図６に示すような略Ｖ字状溝に形成されたものであってもよい。この場合であっても、カシメ加工が施される際に、シャッターノブ７ｂに加える圧力を低減することができるため、取付強度を維持しつつ容易にシャッターノブ７ｂをロータリシャッター７に取り付けることができるようになる。さらに、シャッターノブ７ｂの端部７ｈが、略円筒状になるように凹部７ｃを形成した場合であっても、上述したように取付強度を維持しつつカシメ加工を容易に行うことができるようになる。
【００２８】
また、上記実施の形態において、下シャッタ部材７Ｄ側にシャッターノブ７ｂを設ける場合について例示しているが、上シャッタ部材７Ｕ側にシャッターノブ７ｂを設ける場合であっても、上述したシャッターノブ７ｂを用いることができる。
【図面の簡単な説明】
【００２９】
【図１】本発明のディスクカートリッジの好ましい実施の形態におけるロータリシャッターが閉状態にある状態を示す平面図および底面図
【図２】本発明のディスクカートリッジの好ましい実施の形態におけるロータリシャッターが開状態にある状態を示す平面図および底面図
【図３】本発明のディスクカートリッジにおけるシャッターノブの周辺部位を示す断面図
【図４】本発明のディスクカートリッジにおけるシャッターノブの一例を示す模式図
【図５】ロータリシャッター７にシャッターノブを取り付ける様子を示す模式図
【図６】本発明のディスクカートリッジにおけるシャッターノブの別の一例を示す模式図
【図７】本発明のディスクカートリッジにおけるロータリシャッターの別の一例を示す模式図
【符号の説明】
【００３０】
１     ディスクカートリッジ
３     上シェル
４     下シェル
５     情報記録媒体
６     開口部
７ｂ   シャッターノブ
７     ロータリシャッター
７Ｔ   貫通孔
７Ｕ   上シャッタ部材
７Ｄ   下シャッタ部材
７ｃ   凹部
７ｈ   端部
【図１】
2005004946.tif 000003
【図２】
2005004946.tif 000004
【図３】
2005004946.tif 000005
【図４】
2005004946.tif 000006
【図５】
2005004946.tif 000007
【図６】
2005004946.tif 000008
【図７】
2005004946.tif 000009